(57)【要約】【課題】  本願発明の解決課題は、照明灯の落下を確実に防止でき、且つ、消灯時の暗い室内で発光する照明灯落下防止具を提供することにある。【解決手段】  本願発明の照明灯落下防止具は、照明灯の外周に被せることのできる照明灯嵌合部と、照明灯嵌合部に取り付けられる可撓性を有する細長材と、前記細長材に取り付けられた係止具とを備え、前記細長材は蓄光材を含んで照明灯の光を蓄光できるものであり、前記係止具は照明灯取付け本体に係止することができるものである。細長材を、蓄光材を含む樹脂製として、その表面に補強材を貼り合わせることもできる。照明灯嵌合部を照明灯の外周に被せることのできるリング状のものとし、その一部に開口部を形成することもできる。【選択図】図１
2011113824.tif 000002
【特許請求の範囲】
【請求項１】
照明灯取付け本体に取り付けられた照明灯の落下を防止するための照明灯落下防止具において、
照明灯の外周に被せることのできる照明灯嵌合部と、照明灯嵌合部に取り付けられる可撓性を有する細長材と、前記細長材に取り付けられた係止具とを備え、
前記細長材は蓄光材を含んで照明灯の光を蓄光できるものであり、
前記係止具は照明灯取付け本体に係止することができることを特徴とする照明灯落下防止具。
【請求項２】
請求項１記載の照明灯落下防止具において、
細長材は蓄光材を含む樹脂製であり、その表面に補強材が貼り合わされたことを特徴とする照明灯落下防止具。
【請求項３】
請求項１又は請求項２記載の照明灯落下防止具において、
照明灯嵌合部は照明灯の外周に被せることのできるリング状であり、その一部に開口部を備えることを特徴とする照明灯落下防止具。
【発明の詳細な説明】
【技術分野】
【０００１】
本願発明は照明灯、特に、光源にＬＥＤを使用した蛍光灯型照明灯（以下、「蛍光灯型ＬＥＤ照明灯」という。）の落下防止に適するものであり、落下防止のみならず、照明灯の点灯時に蓄光して消灯時に発光もする照明灯落下防止具に関する。
【背景技術】
【０００２】
従来、蛍光灯の落下防止具として、蛍光灯の外周に巻きつけるベルトと、そのベルトを保持する帯状のアームを備えた照明灯落下防止具がある（特許文献１）。
【０００３】
落下防止用ではないが、縦半割筒状のカバー本体内に蓄光性インクを塗布した縦半割筒状の透明樹脂シートを重ね、そのカバー本体を蛍光灯の外周に被せて、地震や台風等の災害等で消灯すると、蓄光性インクが発光して誘導光となるようにしたカバーもある（特許文献２）。
【先行技術文献】
【特許文献】
【０００４】
【特許文献１】実開平７−７０１１号公報
【特許文献２】特開２００８−９８０１６号公報
【発明の概要】
【発明が解決しようとする課題】
【０００５】
前記特許文献１記載の照明灯落下防止具には、次のような課題があった。
（１）アームの一端を照明器具の本体から突設された化粧ビスに係止して使用するものであるため、本体に化粧ビスが存在しない場合は使用できない。
（２）化粧ビスが突設された本体であっても、化粧ビスの位置が異なる場合は取り付けられないため、取付け位置の自由度がない。
（３）ベルトを環状にしなければ蛍光灯に取り付けることができないため、取付け作業が非常に面倒である。
（４）ベルトとアームが別体であるため、ベルトがアームから抜け落ちて紛失するおそれがある。
【０００６】
前記特許文献２記載の蛍光灯カバーには、次のような課題があった。
（１）誘導光を発光することはできるが、蛍光灯の外周に被せるだけであるため不用意に落下するおそれがある。
（２）長さの異なる蛍光灯用に、各種長さのものを用意しなければならず在庫管理や生産管理に手間がかかり、種類が多くなるにつれて多種少量生産になるため生産性が低下しコスト高になる。
【０００７】
本願発明の解決課題は、既存の蛍光灯の落下を防止できるのは勿論のこと、ＬＥＤからの発熱で撓みや変形が生じて既存の蛍光灯よりも落下の危険性が高い蛍光灯型ＬＥＤ照明灯の落下をも確実に防止でき、消灯時の暗い室内で発光する照明灯落下防止具を提供することにある。
【課題を解決するための手段】
【０００８】
本願発明の照明灯落下防止具は、請求項１記載のように、照明灯取付け本体に取り付けられた照明灯の落下を防止するための照明灯落下防止具であって、照明灯の外周に被せることのできる照明灯嵌合部と、照明灯嵌合部に取り付けられる可撓性を有する細長材と、前記細長材に取り付けられた係止具とを備え、前記細長材は蓄光性を備えて照明灯の光を蓄光できるものであり、前記係止具は照明灯取付け本体に係止することができるものである。
【０００９】
本願発明の照明灯落下防止具は、請求項２記載のように、請求項１記載の照明灯落下防止具において、細長材は蓄光材を含む樹脂製であり、その表面に補強材が貼り合わされたものである。
【００１０】
本願発明の照明灯落下防止具は、請求項３記載のように、前記いずれかの照明灯落下防止具において、照明灯嵌合部は照明灯の外周に被せることのできるリング、又は、リングであってその一部に照明灯の外側から照明灯に装着取り外し可能な開口部を備えるものである。
【発明の効果】
【００１１】
本願発明の照明灯落下防止具は、次のような効果がある。
（１）照明灯嵌合部を照明灯の外周に被せ、細長材に取り付けた係止具を照明灯取付け本体に係止するだけで照明灯（例えば、蛍光灯型ＬＥＤ照明灯）に容易に装着でき、装着すれば照明灯がソケットから外れても落下を防止できる。
（２）細長材は、蓄光材を含むため、照明灯に装着すれば照明灯の点灯時に蓄光して、照明灯の消灯時に発光して暗い室内で、照明灯の存在位置を示す目印となる。
（３）細長材に補強シートを設けた場合は、補強シートがない場合よりも照明灯の落下を一層確実に防止することができる。
（４）照明灯嵌合部がリング状の場合は、ソケットから外している棒状の照明灯への装着、取り外しが容易であり、リングの一部に開口部を備えたものの場合はソケットに装着されている蛍光灯型ＬＥＤ照明灯にも容易に装着、取り外しができる。
【図面の簡単な説明】
【００１２】
【図１】本願発明の照明灯落下防止具を、埋め込みタイプの照明灯に装着した場合の使用説明図。
【図２】（ａ）は本願発明の照明灯落下防止具の第１の実施形態の説明図、（ｂ）はその分解斜視図。
【図３】本願発明の照明灯落下防止具の第２の実施形態の説明図。
【図４】（ａ）〜（ｃ）は本願発明の照明灯落下防止具の使用説明図。
【発明を実施するための形態】
【００１３】
（実施形態１）
本願発明の照明灯落下防止具の第１の実施形態について、図１〜図２を参照しながら説明する。図１に示す実施形態は天井や壁などに埋め込まれて使用される埋め込みタイプの照明灯取付け本体２に取り付けられた２本の棒状の照明灯３（蛍光灯型ＬＥＤ照明灯）を、本願発明の照明灯落下防止具１で保持する場合の例である。この照明灯落下防止具１は図２（ａ）、（ｂ）に示すように、帯状の細長材５の長手方向両端に係止具４が取り付けられ、細長材５一面（内面）に照明灯３を保持するための照明灯嵌合部６が２つ取り付けられたものである。
【００１４】
前記細長材５は蓄光材を含む合成樹脂製であり、蓄光材の発光色、混合量、細長材５の幅、長さ、厚さ等は使用場所に応じて任意に選択でき、その一例としては、横幅（短寸方向の幅）１ｃｍ〜３ｃｍ程度、厚さ２ｍｍ〜５ｍｍが適する。この幅、厚さは一例であり、これよりも広くも狭くもでき、厚くも薄くもすることができる。細長材５の長さは照明灯取付け本体２の幅、形状等に合わせて任意に変更することができる。細長材５の一面には、補強材（補強シート）８が重合されている。図２（ｂ）に示すように、細長材５には貫通孔７が形成されている。両貫通孔７の間隔は図１に示す２本の照明灯３の間隔と同程度としてある。細長材５は、図1に示すように、照明灯に装着し、照明灯取り付け本体２に係止し易くするため、伸縮性、可撓性が多少あるものが望ましい。細長材５は紐状であっても他の形状であってもよい。補強シート８は細長材５の照明灯嵌合部６を取り付ける面（内面）又はその反対側面（外面）に貼付することも、細長材５の肉厚方向中間に埋め込むこともできる。補強シート８は耐熱性があり強度に優れた樹脂製であり、細長材５に貼付しても細長材５の可撓性、伸縮性が阻害されないもの（細長材５の伸縮、撓みに追随できるもの）が適する。細長材５が強度に優れたものである場合は補強シート８は必ずしも要しない。細長材５の両端側には係止具４を固定するビス１２を挿通可能なビス止め孔１５が形成されている。
【００１５】
前記係止具４は図２（ａ）、（ｂ）に示すように細長材５と同程度の横幅であり、長手方向一端側がコ字状に折り曲げられて、照明灯取付け本体２（図１）のケース周縁２ａに係止、離脱可能としてある。係止具４の他端側に止め穴１３が形成されており、細長材５の側からねじ込まれたビス１２によって細長材５の長手方向両端に取り付けられている。細長材５への係止具４の取付けはボルト及びナット、接着剤等で行うこともできる。係止具４は強度の面から金属製が望ましいが、強度を満足できれば樹脂製とか他の材質製であってもよい。
【００１６】
前記照明灯嵌合部６は照明灯の外周に被せることのできる大きさの内径のリング状であり、図２（ａ）、（ｂ）に示すようにその周方向の一部に開口部１０が形成されている。照明灯嵌合部６は透光性のある樹脂製であり、例えば、ポリカーボネート製（ＰＣ製）が適する。照明灯嵌合部６は開口部１０を径方向に強制的に開くと拡径し、開きを解放すると自動的に縮径する復元性を備えており、開口部１０を照明灯３の外周に宛がって強く押すと拡径して照明灯３に被さり、照明灯３に被せてある状態で開口部１０を手で強制的に拡げると照明灯３から外れるようにしてある。照明灯嵌合部６の開口部１０の周方向反対側には２つの突起１１が外向きに突設されている。この突起１１は細長材５に貫通されている貫通孔７に圧入すると貫通孔７から抜けないように鍔１１ａ（図２（ａ））を設けてある。
【００１７】
（実施形態２）
本願発明の照明灯落下防止具の第２の実施形態について、図３を参照しながら説明する。この実施形態では、細長材５を、蓄光材を含まない樹脂で帯状に成型し、その一面に蓄光塗料を塗布、吹き付けなどして蓄光層９を形成したものである。
【００１８】
（実施形態３）
本願発明の照明灯落下防止具１の細長材５は、蓄光材を含まない樹脂で帯状に成型し、その一面に蓄光性を備えた蓄光シートを貼付したものとすることもできる。この蓄光シートは補強シート８と兼用とすることもできる。
【００１９】
（照明灯落下防止具の使用例）
本願発明の照明灯落下防止具１の使用例を図４（ａ）〜（ｃ）を参照しながら説明する。図４（ａ）〜（ｃ）の照明灯取付け本体２は２灯用逆富士タイプの場合である。
（１）図４（ａ）に示すように、照明灯取付け本体２に取り付けてある照明灯３に、図４（ｂ）に示すように、照明灯嵌合部６の開口部１０を宛がい、照明灯嵌合部６をそのまま照明灯３に押し付けて、開口部１０側から照明灯３の外周に被せる。
（２）図４（ｃ）に示すように、係止具４を照明灯取付け本体２の幅方向両端の周縁２ａに係止する。
【００２０】
（他の実施形態）
前記実施形態１〜３は、埋め込みタイプの照明灯取付け本体２に取り付けられた２本の棒状の照明灯３を本願発明の照明灯落下防止具１で保持する場合を一例として説明しているが、本願発明の照明灯落下防止具１は、逆富士タイプの照明灯取付け本体２や他のタイプの照明灯取付け本体２に取り付けられた照明灯の落下防止に使用することもできる。照明灯３の本数も２本に限らず、１本でも３本以上であってもよい。この場合、細長材５へ取り付ける照明灯嵌合部６の数や取り付け位置、細長材５の長さ、貫通孔７の位置やその数、係止具４の曲げ形状等は、使用する照明灯取付け本体のタイプ、照明灯の形態等に合わせて任意に変更することができる。また、細長材５の形状や幅は光源から出射される光の妨げにならないものであれば、前記実施形態１〜３以外の形状や幅にすることができる。本願発明の照明灯落下防止具１は、棒状の蛍光灯型ＬＥＤ照明灯の他、フィラメントを用いた既存の棒状蛍光灯や環状蛍光灯といった他の照明灯３の落下防止具として用いることもできる。本願発明の照明灯落下防止具１の取り付け箇所も１か所に限らず２か所以上とすることもできる。
【産業上の利用可能性】
【００２１】
本願発明の照明灯落下防止具１は、係止具４を係止可能な箇所がある限り、環状の蛍光灯照明、トラフ型の蛍光灯照明などにも使用することができる。
【符号の説明】
【００２２】
１      照明灯落下防止具
２      照明灯取付け本体
２ａ    周縁
３      照明灯
４      係止具
５      細長材
６      照明灯嵌合部
７      貫通孔
８      補強シート
９      蓄光層
１０    開口部
１１    突起
１１ａ  鍔
１２    ビス
１３    止め穴
１５    ビス止め孔
【図１】
2011113824.tif 000003
【図２】
2011113824.tif 000004
【図３】
2011113824.tif 000005
【図４】
2011113824.tif 000006